【事件の表示】
　特許第２８３２９２６号「背面投写型スクリーン」の請求項１ないし３、５ないし９に係る特許に対する特許異議の申立てについて、次のとおり決定する。
【結　論】
　訂正を認める。
　特許第２８３２９２６号の請求項５ないし９に係る特許を維持する。
【理　由】
１．手続きの経緯
　 本件特許第２８３２９２６号は、平成５年１２月７日の出願であって、平成１０年１０月２日にその特許の設定登録がなされ、その後、異議申立人株式会社ディスクより特許異議の申立てがなされ、取消理由通知がなされ、その指定期間内である平成１１年１１月２４日に訂正請求がなされ、その後、訂正拒絶理由通知がなされ、その指定期間内である平成１２年３月２９日に手続補正がなされたものである。
１．１　異議申立ての概要
　異議申立人株式会社ディスクは、甲第１号証（特開平３−３９９４４号公報）、甲第２号証（特開昭５３−１４２２３０公報）、甲第３号証（特開平１−２３７６３４号公報）、甲第４号証（特開昭６１−２４１７４１号公報）、甲第５号証（特開昭５６−１６５１３５号公報）及び甲第６号証（特開昭５１−５１９４４号公報）を提出し、本件請求項１〜３及び５〜９に係る発明は、甲第１〜６号証に記載された発明に基いて容易に発明できたものであるから、特許法第２９条第２項の規定により特許を受けることができないものであるので、本件特許を取り消すべき旨主張している。
１．２　異議申立人株式会社ディスクが提出した甲第１号証の記載内容
　甲第1号証は透過型スクリーンとその製造方法に関するもので、第5頁右下欄第13行〜第6頁左上欄第19行には、第1図に関しての説明があり、フレネルレンズからなる第1のシート状部材2と、シート状部材2の出射面側に設けられ、入射面31および出射面32に複数のレンチキュラーレンズが配列された第2のシート状部材3とからなる透過型スクリーン1が記載され、シート状部材3の出射面32にはその全面に光拡散層5が設けられるとともに、レンチキュラーレンズの境界部分の光不透過部3Nの光拡散層5上に光吸収層6が形成されており、第2のシート状部材3が複層のレンチキュラーレンズシートである旨記載されている。
　また、第6頁右上欄第3〜5行には「第2図は、第1図の透過型スクリーンを用いた背面投射型画像ディスプレイ装置の要部を示す断面図であり、1は透過型スクリーン」と記載されている。
　また、第7頁左上欄第17行〜同頁右上欄第3行には「第4図において、入射面側レンチキュラーレンズ面31Lは、楕円柱面の一部であり、その楕円は、シート状部材3の厚さ方向(矢印Aにより示す)を長軸方向とし、楕円の二焦点のうち一焦点F1が基材3Bの内部に位置し、他の一焦点F2が出射面32における光拡散層5の表面付近に位置するように構成されている。」と記載され、第8頁右上欄第11〜12行には「楕円の長軸に平行に入射した光線は、全て出射面32側の焦点F2に収束する。」と記載され、第8頁左下欄第12〜15行には「また、出射面側レンチキュラーレンズ面32Lは、必ずしも厳密に入射面側レンチキュラーレンズ面31Lの焦点F2を通る必要はなく、若干のずれは許容できる。」と記載されている。
　また、第7頁右下欄第3〜9行には「光拡散剤としては、酸化ケイ素、酸化アルミニウム、ガラス粉、炭酸カルシウム、二酸化チタン、硫酸バリウム、酸化亜鉛、雲母、方解石などの無機系材料、アクリル樹脂、ポリカーボネート樹脂、ポリビニルアルコール樹脂、フッ素樹脂、メラミン樹脂などの有機系材料等、天然物、合成物のいかんを問わず広汎な材料が使用できる。」と記載されている。　また、第12頁右上欄第14〜17行には「光拡散層5は、0.4〜10μｍの粒径を有する第一の光拡散材と、30〜300μｍの粒径を有する第二の光拡散材が透明バインダー中に分散されており」と記載されている。
甲第２号証の記載内容
　甲第2号証は透過型映写スクリーンに関するもので、第2頁左上欄第3〜12行、第2頁左下欄第11〜18行には、1枚あるいは両方のレンチキュラーシートの非レンズ面にスクリーン中央部から周辺に向かって連続的あるいは段階的にマット加工を行い、しかもそのマット化濃度をスクリーン中央部からスクリーン周辺に近づくにしたがい連続的あるいは段階的に増加させることにより、光の拡散性を改善した旨記載されている。
　また、第2頁右下欄第4行〜第3頁左上欄第9行には、レンチキュラーシート4に両サイドに向かってマット化インキが厚くなるように印刷し、濃度が中央部から両サイドに向かって高くなるようにした場合(第5図)についての光拡散性が第6図、第7図を参照して説明されており、スクリーン中央部ではインキ量が少ないためマット化しない場合に比して輝度のピーク値が若干減少し、輝度のピーク値が1/3となる方向の角度が若干大きくなるだけであり(第6図)、これに対してスクリーン周辺部では、インキ量が多いためマット化しない場合に比して輝度のピーク値が減少し、その分輝度のピーク値が1/3となる方向の角度が大幅に大きくなり、光拡散性がスクリーンの中心部に比して周辺部で大幅に大きくなる旨記載されている。
　また、第3頁右上欄第19行〜同頁左下欄第2行には「印刷インキとしてはアクリルのクリヤインキ等及び無機の白色顔料(Si02 、シリカ等)からなる透明又は半透明インキが用いられる。」と記載されている。
甲第３号証の記載内容
　甲第3号証は透過型スクリーンに関するもので、第3頁右上欄第15〜20行には、出射面レンズのレンズ単位をスクリーンの中心部と周辺部とで非対称形にし、周辺部の出射面のレンズ単位の光軸を中心部のそれに比べてより中心方向に向けさせることにより、透過光分布を左右非対称にして輝度の均一化をはかる旨記載されている。また、第3頁右下欄第1〜14行に第1図についての説明があり、レンチキュラーレンズ3の光軸5が、スクリーンの周辺にいくに従って、中心側へ徐々に傾いている旨説明されている。
　また、第5頁右下欄第7行には、第9図がスクリーンの金型を示す図であると記載され、第9図には、金型の深さが周辺部の方が中心部に比して深くなっており、この金型から作られるレンズの厚みが周辺部の方が中心部に比して大きいことが示されている。
甲第４号証の記載内容
　甲第4号証は透過型スクリーンに関するもので、第1頁特許請求の範囲第1項には、「スクリーン中心部より左右辺部に向かって徐々にレンズ断面外形形状が変化する変形レンチキュラーレンズを有し、前記レンチキュラーレンズのピッチPと、レンチキュラーレンズ先端部からのレンズ面落ち込み量tの比t/Pが、スクリーン中心からの距離Rによって変化することを特徴とする透過型スクリーン」と記載され、第2項には「前記レンチキュラーレンズはt/Pとスクリーン中心からの距離Rとの関係がt/P∝RX(x≧1)を満足することを特徴とする」と記載されている。
　また、第2頁左下欄第17行〜同頁右下欄第2行、第3頁左上欄第9〜10行には、第1図が透過型スクリーンを巨視的に見た図で、第2図が第1図のB部(中心部)の拡大図、第3図がA部(周辺部)の拡大図である旨記載され、第2図におけるレンズの集光点よりも第3図におけるレンズの集光点が長く図示されており、スクリーン周辺部におけるレンズ厚みが中心部よりも厚いことが示されている。
甲第５号証の記載内容
　甲第5号証は透過型スクリーンに関するもので、第2頁右上欄第2〜11行には、「中央より左右端部に向かって徐々にレンズの形状が変化する変形レンチキュラースクリーンにおいて、中央部のレンチキュラーレンズの断面外形形状は、楕円の弧の一部又は円の弧の一部であって、中央部より離れるに従い前記楕円の弧の形状が変化し、中央部では楕円の長軸はほぼスクリーンの面に対し水平であり、左右辺部に行くに従い前記長軸の傾きが大きくなるような形状に形成した透過型スクリーン」と記載され、第2図には中央部では楕円の長軸はほぼスクリーンの面に対し水平、左右辺部に行くに従い前記長軸の傾きが大きくなるよう図示されている。また、第2頁左下欄第17行〜同頁右下欄第2行には「本発明のものは両サイドの楕円の傾きが次第に大きくなるようにしたもので画面の周辺での明るさが上がり、画面の均一性が向上し、集光レンズを用いることなくレンチキュラーレンズ自体で光源光を有効に観客側へ集光することが出来る」と記載されている。
甲第６号証の記載内容
　甲第6号証は光拡散部材に関するもので、第5頁右上欄第15行〜同頁左下欄第7行には「例えば、光拡散性シートとして屈折率の異なる少なくとも2種類の高分子をエクストルーダー熔融ブレンドしてT-ダイを通して成形し、これに透明性の良い非晶質の高分子に着色剤をブレンドしてエクストルーダー・T一ダイにより成形した着色シートを共に熔融状態のうちにラミネートする。そしてこのラミネートする際に、梨地の艶消しローラによってそのシートの表面(着色シート側)にナングレア処理が施される。」と記載され、第5頁右下欄第10〜19行には「本発明によるメリットの一つである生産性に関しては、このスクリーンの製造がエクストルーダ・T一ダイによる押出成形を利用してその光拡散性シート及び支持体シートを成形しこれをラミネートする事によって直ちに光拡散部材を作ることが出来る」と記載され、また、同公報第6頁左上欄第4〜11行には「本発明は光拡散性シートを、その表面保護及び機械的強度の補強として、前面支持体にラミネートもしくは同時に成形された支持体シートとラミネートした光拡散部材に関してであるが、異なった樹脂を複数のエクストルーダーから一つのダイに導いて一度に複数層のシートを成形する共押出し成形により積層した多層構成の光拡散部材も包含するものである。」と記載されている。
２．訂正の適否について
２．１　訂正請求に対する補正の適否について
　訂正明細書の請求項１及び２を削除し、訂正明細書の発明の詳細な説明［００１４］段落を削除し、［００１５］段落の、「また、」を、「即ち、この発明は、」と補正するものであり、当該訂正請求に対する補正は、訂正請求の要旨を変更するものではなく、特許法第１２０条の４第第３項において準用する同法第１３１条第２項の規定に適合する。
２．２　本件訂正請求の内容
  本件訂正請求は、本件特許第２８３２９２６号の明細書（以下、「特許明細書」という。）を、平成１２年３月２９日付手続補正書により補正された本件訂正請求書に添付した訂正明細書のとおりに、訂正しようとするものである。
２．２．１　訂正事項ａ
　特許明細書の請求項１〜３を削除する。
２．２．２　訂正事項ｂ
　特許明細書の請求項５及び８記載の「出射側レンズ層」を「複数の出射側レンズを有し、光拡散性微粒子を含有する出射側レンズ層」と訂正する。
２．２．３　訂正事項ｃ
　特許明細書の［００１４］段落を削除する。
２．２．４　訂正事項ｄ
　特許明細書の［００１５］段落の「また、」を、「即ち、この発明は、」と訂正する。
２．２．５　訂正事項ｅ
　特許明細書の［００１５］段落の「レンズ面が形成された複数の射出側レンズを有する射出側レンズ層」を、「レンズ面が形成された複数の射出側レンズを有し、光拡散性微粒子を含有する射出側レンズ層」と訂正する。
２．３　訂正後の特許請求の範囲
２．３．１　訂正後の請求項５
「フレネルレンズと、光拡散性微粒子を含有する光拡散板とからなる背面投写型スクリーンにおいて、光拡散板が、複数の入射側レンズを有する入射側レンズ層と、入射側レンズによる光集光点またはその近傍にレンズ面が形成された複数の出射側レンズを有し、光拡散性微粒子を含有する出射側レンズ層と、出射側レンズ層上の入射側レンズによる非集光部に光吸収層を有する複層のレンチキュラーレンズシートであり、該出射側レンズ層の厚さが中心部に比べて周辺部で厚く、レンチキュラーレンズシートの光拡散性が背面投写型スクリーンの中心部に比べて周辺部で大きいことを特徴とする背面投写型スクリーン。」
２．３．２　訂正後の請求項６
「レンチキュラーレンズシートの中心から幅方向に250mm以上外側にある出射側レンズ層の厚さが、中心部の出射側レンズ層よりも厚い請求項5記載の背面投写型スクリーン。」
２．３．３　訂正後の請求項７
「レンチキュラーレンズシートの中心から幅方向に250mm以上外側にある出射側レンズ層の厚さが、中心部の出射側レンズ層の厚さに対して1.05倍以上である請求項6記載の背面投写型スクリーン。」
２．３．４　訂正後の請求項８
「フレネルレンズと、光拡散性微粒子を含有する光拡散板とからなる背面投写型スクリーンにおいて、光拡散板が、複数の入射側レンズを有する入射側レンズ層と、入射側レンズによる光集光点またはその近傍にレンズ面が形成された複数の出射側レンズを有し、光拡散性微粒子を含有する出射側レンズ層と、出射側レンズ層上の入射側レンズによる非集光部に光吸収層を有する複層のレンチキュラーレンズシートであり、該出射側レンズ層における光拡散性微粒子の分布が中心部に比べて周辺部で高濃度であり、レンチキュラーレンズシートの光拡散性が背面投写型スクリーンの中心部に比べて周辺部で大きいことを特徴とする背面投写型スクリーン。」
２．３．５　訂正後の請求項９
「入射側レンズ層を形成する第1の樹脂と出射側レンズ層を形成する第2の樹脂とを共押し出しし、所定の凹凸を有するロール間を通して成型するレンチキュラーレンズシートの製造方法において、出射側レンズ層を形成する第2の樹脂の供給量を該レンチキュラーレンズシートの中心部に比べて周辺部で多くすることにより請求項5記載の背面投写型スクリーンに使用されるレンチキュラーレンズシートを成型するレンチキュラーレンズシートの製造方法。」
３．訂正の適否
３．１　目的該当性等について
　上記訂正事項ａについては、請求項の削除であるから、特許請求の範囲の減縮にあたる。
　上記訂正事項ｂについては、訂正前の請求項５及び８記載の「出射側レンズ層」を、下位概念である、「複数の出射側レンズを有し、光拡散性微粒子を含有する出射側レンズ層」とするものであるから、特許請求の範囲の減縮にあたる。
　上記訂正事項ｃについては、上記訂正事項ａに伴い、特許請求の範囲の記載と発明の詳細な説明を整合させるものであるから、明りょうでない記載の釈明にあたる。
　上記訂正事項ｄについては、上記訂正事項ａに伴い、特許請求の範囲の記載と発明の詳細な説明を整合させるものであるから、明りょうでない記載の釈明にあたる。
　上記訂正事項ｅについては、上記訂正事項ｂに伴い、特許請求の範囲の記載と発明の詳細な説明を整合させるものであるから、明りょうでない記載の釈明にあたる。
　また、上記訂正は、特許明細書又は図面に記載した事項の範囲内の訂正であり、実質上特許請求の範囲を拡張し又は変更するものでもない。
３．２　独立特許要件について
　訂正後の請求項５に係る発明は、背面投写型スクリーンにおけるレンチキュラーレンズシートが、「光拡散性微粒子を含有する出射側レンズ層の厚さが中心部に比べて周辺部で厚い」という、上記甲第１〜６号証いずれにもない構成を有し、また、訂正後の請求項８に係る発明は、背面投写型スクリーンにおけるレンチキュラーレンズシートが、「光拡散性微粒子を含有する出射側レンズ層における光拡散性微粒子の分布が中心部に比べて周辺部で高濃度である」という、上記甲第１〜６号証いずれにもない構成を有しており、当該構成によって、レンチキュラーレンズシートの光拡散性が背面投写型スクリーンの中心部に比べて周辺部で大きいという構成上の特徴を有するものであり、本件特許明細書の［0060］段落に記載されているように、請求項5及び8に係るレンチキュラーレンズシートは、モアレを抑制しつつ、投写系が短い場合でも周辺部の輝度の低下を抑制することができるという、上記甲第１〜６号証いずれにもない効果を有する。
　そうすると、訂正後の請求項５及び８並びに訂正後の請求項５及び８を引用する訂正後の請求項６、７及び９に係る発明は、甲第１〜６号証に記載された発明に基いて容易に発明できたものであるとすることはできない。
３．３　訂正の可否の結論
　上記訂正事項は、平成６年法律第１１６号附則第６条第１項の規定により、なお従前の例によるとされる、改正前の特許法第１２６条第１項ただし書、同条第２、３項の規定に適合する。
　従って、当該請求を認める。
４．特許異議申立てについての判断
４．１　本件特許請求項５〜９に係る発明
　上記２．３．１〜２．３．５に記載のとおり。
４．２　異議申立ての理由の概要
　上記１．１に記載のとおり。
４．２．１　本件特許請求項５〜９に係る発明と甲第１〜６号証との対比、判断
　上記独立特許要件について検討した３．２に記載したとおり、本件特許請求項５〜９に係る発明は、甲第１〜６号証に記載された発明に基いて容易に発明できたものであるとすることはできない。
５．むすび
 したがって、特許異議申立ての理由及び証拠によっては、本件特許請求項５〜９に係る発明の特許を取り消すことはできない。
　また、他に本件特許請求項５〜９に係る発明の特許を取り消すべき理由を発見しない。
  よって、結論のとおり決定する。
【異議決定日】
平成１２年４月２０日（２０００．４．２０）
【訂正の要旨】
訂正の要旨
　訂正事項ａ、ｂは、特許請求の範囲の減縮を目的とするものであり、訂正事項ｃｄ，ｅは明りょうでない記載の釈明を目的とするものである。
訂正事項ａ
　特許明細書の請求項１〜３を削除する。
訂正事項ｂ
　特許明細書の請求項５及び８記載の「出射側レンズ層」を「複数の出射側レンズを有し、光拡散性微粒子を含有する出射側レンズ層」と訂正する。
訂正事項ｃ
　特許明細書の［００１４］段落を削除する。
訂正事項ｄ
　特許明細書の［００１５］段落の「また、」を、「即ち、この発明は、」と訂正する。
訂正事項ｅ
　特許明細書の［００１５］段落の「レンズ面が形成された複数の射出側レンズを有する射出側レンズ層」を、「レンズ面が形成された複数の射出側レンズを有し、光拡散性微粒子を含有する射出側レンズ層」と訂正する。
（５４）【発明の名称】
背面投写型スクリーン
（５７）【特許請求の範囲】
　　
【
　【数１】
　ｔ１＞ｔ２＞０　（Ｉ）
　【数２】
（式中、ｔ１は入射側レンズ層の厚さ、ｔ２は出射側レンズ層の厚さ、Δｎ１は入射側レンズ層における熱可塑性樹脂と光拡散性微粒子との屈折率の差、Δｎ２は出射側レンズ層における熱可塑性樹脂と光拡散性微粒子との屈折率の差、ｃ１は入射側レンズ層における光拡散性微粒子の重量濃度、ｃ２は出射側レンズ層における光拡散性微粒子の重量濃度、ρ１は入射側レンズ層における光拡散性微粒子の比重、ρ２は出射側レンズ層における光拡散性微粒子の比重、ｄ１は入射側レンズ層における光拡散性微粒子の平均粒径、ｄ２は出射側レンズ層における光拡散性微粒子の平均粒径を表す。）
を満足し、該レンチキュラーレンズシートの光拡散性が背面投写型スクリーンの中心部に比べて周辺部で大きいことを特徴とする背面投写型スクリーン。
　　【請求項５】　フレネルレンズと、光拡散性微粒子を含有する光拡散板とからなる背面投写型スクリーンにおいて、光拡散板が、複数の入射側レンズを有する入射側レンズ層と、入射側レンズによる光集光点またはその近傍にレンズ面が形成された複数の出射側レンズ
を有し、光拡散性微粒子を含有する
　　【請求項６】　レンチキュラーレンズシートの中心から幅方向に２５０ｍｍ以上外側にある出射側レンズ層の厚さが、中心部の出射側レンズ層よりも厚い請求項５記載の背面投写型スクリーン。
　　【請求項７】　レンチキュラーレンズシートの中心から幅方向に２５０ｍｍ以上外側にある出射側レンズ層の厚さが、中心部の出射側レンズ層の厚さに対して１．０５倍以上である請求項６記載の背面投写型スクリーン。
　　【請求項８】　フレネルレンズと、光拡散性微粒子を含有する光拡散板とからなる背面投写型スクリーンにおいて、光拡散板が、複数の入射側レンズを有する入射側レンズ層と、入射側レンズによる光集光点またはその近傍にレンズ面が形成された複数の出射側レンズ
を有し、光拡散性微粒子を含有する
　　【請求項９】　入射側レンズ層を形成する第１の樹脂と出射側レンズ層を形成する第２の樹脂とを共押し出しし、所定の凹凸を有するロール間を通して成型するレンチキュラーレンズシートの製造方法において、出射側レンズ層を形成する第２の樹脂の供給量を該レンチキュラーレンズシートの中心部に比べて周辺部で多くすることにより請求項５記載の背面投写型スクリーンに使用されるレンチキュラーレンズシートを成型するレンチキュラーレンズシートの製造方法。
【発明の詳細な説明】
　　　【０００１】
　　【産業上の利用分野】
　この発明は、フレネルレンズと、レンチキュラーレンズシート等の光拡散板とからなる背面投写型スクリーンに関する。
　　　【０００２】
　　【従来の技術】
　大画面の映像の表示方法として、ＣＲＴや液晶パネル等から光学像を投写レンズにより背面投写型スクリーンに拡大投写する方法が知られている。
　　　【０００３】
　図５はこのような方法で映像を形成する表示装置の一般的な構成例である。同図の表示装置においては、Ｒ（レッド）、Ｇ（グリーン）、Ｂ（ブルー）のそれぞれのＣＲＴ１からの光学像が投写レンズ２により拡大されて、フレネルレンズ３とレンチキュラーレンズシート４からなる２枚式の背面投写型スクリーン５の面上に結像される。ここで、フレネルレンズ３は入射した光を観察者の位置する方向にほぼ向けさせるという作用を担い、レンチキュラーレンズシート４はフレネルレンズ３から出た光を水平方向および垂直方向の所定の角度に適当な分配割合で分散させ、視野角を所定の範囲に広げるという作用を担っている。また、背面投写型スクリーンとしては、図５に示した背面投写型スクリーン５においてレンチキュラーレンズシート４に代えて、光拡散性微粒子を分散させたフラット板又はフラットシートからなる光拡散板を使用したものも知られている。
　　　【０００４】
　しかしながら、このような表示装置においては、Ｒ、Ｇ、ＢのそれぞれのＣＲＴ１からの投写光の集中角εに起因して、スクリーン５を観察する位置を水平方向に変えることによりスクリーン上の画像の色調が変化するというカラーシフトの発生や、観察するスクリーン上の位置により色調が異なるというホワイト・ユニホーミティーの低下が問題となる。
　　　【０００５】
　そこで、カラーシフトを低減し、ホワイト・ユニホーミティーのレベルを向上させるために、従来より、レンチキュラーレンズシートとして、図４に示したように、入射側面にシリンドリカルレンズからなる入射側レンズ３１を形成し、出射側面にもシリンドリカルレンズからなる出射側レンズ３２を形成し、さらに、出射側面の光の非集光部に光吸収層（所謂ブラックストライプ）３３を形成した両面レンチキュラーレンズシート３０を使用することが知られている。そして、このような両面レンチキュラーレンズシート３０において、視野角を広く確保しつつカラーシフトを低減し、ホワイト・ユニホーミティーのレベルを向上させるために、入射側レンズ３１や出射側レンズ３２を構成する各レンズ要素の形状あるいは光軸シフトを改善する試みが種々提案されている。また、各レンズ要素の形状等を特定することの他に、レンチキュラーレンズシート全体に均一に光拡散性微粒子を分散させ、水平方向の視野角は主にレンチキュラーレンズで確保するが、垂直方向の視野角はこの微粒子の光拡散性で確保することもなされている。さらに、垂直方向の視野角を主にこのような光拡散性微粒子によって確保しようとすると、この微粒子による光の散乱のために解像度が低下するので、出射側レンズの表面に種々の方法で細かい凹凸を形成することも提案されている。
　　　【０００６】
　しかしながら、これらの構成によっても、高解像度の映像を得るためにレンチキュラーレンズシートの各要素レンズのピッチを小さくすると、スクリーンの特性を十分に改善することは困難であった。即ち、高解像度の映像を得るためにレンチキュラーレンズシートの各要素レンズのピッチを小さくすると、同じレンズの厚さでは水平視野角が小さくなる。このため所期の水平視野角を確保するためにレンズを薄くする必要が生じる。例えば、これまでのレンチキュラーレンズシートにおいて０．６ｍｍピッチで水平半値視野角３７°を得ようとする場合、レンチキュラーレンズシートは厚さ０．７８ｍｍという薄いものに成形することが必要となる。しかしながら、現在のレンチキュラーレンズシートの効率的な量産方法である押し出し法では、厚さ０．７８ｍｍという薄いレンチキュラーレンズシートを製造すること自体困難であり、得られた製品も割れやすいという問題がある。レンチキュラーレンズシートの厚さを０．９ｍｍ以上とすれば押し出し法で安定的に製造できるが、このような厚さでは水平半値視野角３７°を得ることができない。一方、レンチキュラーレンズシートの厚さは安定的に製造できる厚さとし、水平視野角を光拡散性微粒子により確保しようとすると、カラーシフトは改善されるがレンチキュラーレンズシート内部での拡散性が増大して光吸収層に入る光量が多くなり、その結果、出射光量が低下するという新たな問題が生じる。
　　　【０００７】
　そこで、この発明者らは、図３に示したように、両面レンチキュラーレンズの出射側に光吸収層２３を有するレンチキュラーレンズシート２０において、その両面レンチキュラーレンズを入射側レンズ層２１と出射側レンズ層２２からなる複層レンズとし、光拡散性微粒子はこの出射側レンズ層２２に主に分散させ、かつ出射側レンズ層２２を入射側レンズ層２１に比べて薄く形成することを提案した（特開平５−６１１２０号公報）。このような複層のレンチキュラーレンズシート２０によれば、光拡散性微粒子が薄い出射側レンズ層２２中に高濃度に分散しているので、出射側レンズ層２２で十分に光を拡散させて視野角を大きくすることができ、しかも拡散された光が光吸収層２３に入ることを抑制できる。したがって、光の利用率が高まり、映像を明るくし、視野角を増大しかつレンズピッチを小さくして解像度を高めることが可能となる。また、レンチキュラーレンズシートの出射側表面に光拡散要素が集中することとなるので、フレネルレンズのライズ面（レンズ面の山部と谷部を繋ぐ面）に起因する暗線とレンチキュラーレンズシートの光吸収層との重なりにより生じるモアレも抑制することが可能となる。
　　　【０００８】
　　【発明が解決しようとする課題】
　しかしながら、上述の特開平５−６１１２０号公報に記載のレンチキュラーレンズシートにおいても、より一層明るい映像を得ようとする場合には、光拡散性微粒子の量を減らすか、または光拡散性微粒子を分散させる出射側レンズ層を薄くする等の方法によりレンチキュラーレンズシートの光拡散性を通常よりも小さくすることが必要とされ、この場合には、フレネルレンズのライズ面に起因する暗線を出射側レンズ層で十分に拡散させて実質的に細くすることができなくなり、十分にモアレを抑制することができないという問題があった。
　　　【０００９】
　また、近年の投写装置をできるだけコンパクトにする要請にしたがって投写距離を短くすると、図１１に示したように画角（２θ）、即ちＣＲＴ等の光源１から背面投写型スクリーン５の対角に向かう光線のなす角が大きくなる。そして、一般に、背面投写型スクリーン５の対角部分へ入射する光の強度はｃｏｓ４θに比例して弱くなる。また、画角が大きくなるとフレネルレンズ３での反射による光損失が増える。このため、投写距離を短くすると画面の周辺部において、フレネルレンズ３から射出する光の強度が小さくなるのが一般的である。そしてそのために、レンチキュラーレンズシート４の周辺部から観察者の方向へ射出する光も弱くなり、画面の周辺部、特に四隅部分が暗く感じられるという問題があった。即ち、レンチキュラーレンズシート４の中央部及び周辺部から射出する光の拡散状態は図１１に示したように表すことができ、画面の周辺部において最も拡散光強度の大きい方向へ射出する光の強度をＬ２、観察者が通常画面を観察する位置（レンチキュラーレンズシート４の中央部から３〜５ｍの位置）へ射出する光の強度をＬ
１
　　　【００１０】
　このような投写距離を短くすることにより画面、特に四隅部分が暗く感じられるという問題は、上述の特開平５−６１１２０号公報に記載のレンチキュラーレンズシートを使用した場合でも同様であった。
　　　【００１１】
　なお、大画面に高解像度で明るい映像を得る場合の背面投写型スクリーンとしては、上述のように、複層のレンチキュラーレンズシートを使用したものが好ましいが、この他、比較的小画面の映像を得る場合には、現在なお、複層のレンチキュラーレンズシートを使用することなく、光拡散性微粒子を分散させたフラット板あるいはフラットシートとフレネルレンズとを組み合わせた背面投写型スクリーンや、単層のレンチキュラーレンズシートとフレネルレンズとを組み合わせた背面投写型スクリーンが使用されている。そして、これらの背面投写型スクリーンにおいても、近年の投写装置をできるだけコンパクトにする要請にしたがって投写距離を短くすると、上述の複層のレンチキュラーレンズシートを使用した背面投写型スクリーンと同様に、画面の周辺部、特に四隅部分が暗くなるという問題があった。また、出射側レンズ層上に光吸収層を有する単層のレンチキュラーレンズを使用した背面投写型スクリーンにおいては、画面の周辺部のモアレが顕著になるという問題があった。
　　　【００１２】
　この発明は以上のような従来技術の課題を解決しようとするものであり、モアレを従来よりも更に抑制し、距離の短い投写系においても画面の周辺部が暗くならないようにすることを目的とする。
　　　【００１３】
　　【課題を解決するための手段】
　この発明者らは、上記の目的を達成するためには、レンチキュラーレンズシート、フラットシート、フラット板等の光拡散板の光拡散性を中心部に比べて周辺部で大きくすることが有効であることを見出し、この発明を完成させるに至っ
た。
　　　
【
】
　
即ち、この発明は、光
　【数３】
　ｔ１＞ｔ２＞０（Ｉ）　　　　　　
　【数４】
（式中、ｔ１は入射側レンズ層の厚さ、ｔ２は出射側レンズ層の厚さ、Δｎ１は入射側レンズ層における熱可塑性樹脂と光拡散性微粒子との屈折率の差、Δｎ２は出射側レンズ層における熱可塑性樹脂と光拡散性微粒子との屈折率の差、ｃ１は入射側レンズ層における光拡散性微粒子の重量濃度、ｃ２は出射側レンズ層における光拡散性微粒子の重量濃度、ρ１は入射側レンズ層における光拡散性微粒子の比重、ρ２は出射側レンズ層における光拡散性微粒子の比重、ｄ１は入射側レンズ層における光拡散性微粒子の平均粒径、ｄ２は出射側レンズ層における光拡散性微粒子の平均粒径を表す。）
を満足し、該レンチキュラーレンズシートの光拡散性が背面投写型スクリーンの中心部に比べて周辺部で大きいことを特徴とする背面投写型スクリーンを提供する。
　また、フレネルレンズと、光拡散性微粒子を含有する光拡散板とからなる背面投写型スクリーンにおいて、光拡散板が、複数の入射側レンズを有する入射側レンズ層と、入射側レンズによる光集光点またはその近傍にレンズ面が形成された複数の出射側レンズを
有し、光拡散性微粒子を含有する
　また、フレネルレンズと、光拡散性微粒子を含有する光拡散板とからなる背面投写型スクリーンにおいて、光拡散板が、複数の入射側レンズを有する入射側レンズ層と、入射側レンズによる光集光点またはその近傍にレンズ面が形成された複数の出射側レンズを
有し、光拡散性微粒子を含有する
　　　【００１６】
　また、このような背面投写型スクリーンを構成する複層のレンチキュラーレンズシートの製造方法として、入射側レンズ層を形成する第１の樹脂と出射側レンズ層を形成する第２の樹脂とを共押し出しし、所定の凹凸を有するロール間を通して成型するレンチキュラーレンズシートの製造方法において、出射側レンズ層を形成する第２の樹脂の供給量を該レンチキュラーレンズシートの中心部に比べて周辺部で多くする方法を提供する。
　　　【００１７】
　以下、この発明を詳細に説明する。
　　　【００１８】
　この発明の背面投写型スクリーンは、フレネルレンズと、光拡散性微粒子を含有する光拡散板とからなる背面投写型スクリーンにおいて、光拡散板の光拡散性が背面投写型スクリーンの中心部に比べて周辺部で大きいことを特徴としている。
　　　【００１９】
　この発明において、周辺部の光拡散性を大きくする光拡散板としては、光拡散性微粒子を含有する限り、フラット板、フラットシート又はレンチキュラーレンズシートのいずれも使用することができる。また、レンチキュラーレンズシートとしては、図４に示したように入射側レンズ３１と出射側レンズ３２が一の樹脂層で形成されている単層のレンズシート、及び図３に示したように、入射側レンズ２１を有する入射側レンズ層と、入射側レンズによる光集光点又はその近傍にレンズ面が形成された出射側レンズ２２を有する出射側レンズ層とが別個の層として形成されている複層のレンズシートのいずれも使用することができる。
　　　【００２０】
　光拡散板として、フラット板、フラットシート又はレンチキュラーレンズシートのいずれを使用するかは、当該背面投写型スクリーンの用途等に応じて適宜定めることができる。例えば、大画面に高解像度の明るい画面を得る場合には、図３に示したような複層のレンチキュラーレンズシートを使用することが好ましい。特に、複層のレンチキュラーレンズシートとしては、特開平５−６１１２０号公報に開示されているように、入射側レンズ層と出射側レンズ層とを実質的に透明な熱可塑性樹脂から形成し、少なくともその出射側レンズ層に光拡散性微粒子を含有させ、レンチキュラーレンズシートが次式（Ｉ）及び（ＩＩ）
　　　【００２１】
　【数３】
　ｔ１＞ｔ２＞０（Ｉ）
　　【００２２】
　【数４】
（式中、ｔ１は入射側レンズ層の厚さ、ｔ２は出射側レンズ層の厚さ、Δｎ１は入射側レンズ層における熱可塑性樹脂と光拡散性微粒子との屈折率の差、Δｎ２は出射側レンズ層における熱可塑性樹脂と光拡散性微粒子との屈折率の差、ｃ１は入射側レンズ層における光拡散性微粒子の重量濃度、ｃ２は出射側レンズ層における光拡散性微粒子の重量濃度、ρ１は入射側レンズ層における光拡散性微粒子の比重、ρ２は出射側レンズ層における光拡散性微粒子の比重、ｄ１は入射側レンズ層における光拡散性微粒子の平均粒径、ｄ２は出射側レンズ層における光拡散性微粒子の平均粒径を表す。）
を満足するようにし、出射側レンズ層の光拡散性を入射側レンズ層よりも強化したものが好ましい。このためには、例えば出射側レンズ層に入射側レンズ層よりも高濃度の光拡散性微粒子を含有させればよい。
　　　【００２３】
　光拡散板として、フラット板、フラットシート又はレンチキュラーレンズシートのいずれを使用する場合においても、その光拡散性を中心部に比べて周辺部で大きくする方法としては、例えば、光拡散板に含有させる光拡散性微粒子の屈折率を中心部よりも周辺部で大きくするか、又は光拡散板の厚さを中心部に比べて周辺部で厚くするか、又は光拡散板における光拡散性微粒子の分布を中心部に比べて周辺部で高濃度にすればよい。特に、光拡散板として複層のレンチキュラーレンズシートを使用する場合には、出射側レンズ層の厚さを中心部に比べて周辺部で厚くするか、又は出射側レンズ層における光拡散性微粒子の分布が中心部に比べて周辺部で高濃度となるようにすることが好ましい。
　　　【００２４】
　以下、この発明の背面投写型スクリーンに使用する光拡散板の好ましい態様の例として、出射側レンズ層の厚さを中心部に比べて周辺部で厚くした複層のレンチキュラーレンズシートを図面に基づき詳細に説明する。
　　　【００２５】
　図１は、このような複層のレンチキュラーレンズシートの幅方向（水平方向）の断面図である。同図に示したように、このレンチキュラーレンズシート１０は、光入射側に入射側レンズ層１１を有し、光出射側に出射側レンズ層１２を有している。この入射側レンズ層１１には複数のシリンドリカルレンズが形成されており、出射側レンズ層１２には、入射側レンズ層１１の各シリンドリカルレンズの光集光点またはその近傍にレンズ面を有する、シリンドリカルレンズが形成されている。また、この出射側レンズ層１２の厚さｔ２は入射側レンズ層１１の厚さｔ１よりも薄く形成されている。
　　　【００２６】
　このような入射側レンズ層１１と出射側レンズ層１２とは、両層とも実質的に透明な熱可塑性樹脂から形成される。この場合、両層の熱可塑性樹脂としては、屈折率の異なるものを使用することもできる。
　　　【００２７】
　また、少なくとも出射側レンズ層１２には光拡散性微粒子１４が含有され、入射側レンズ層１１にも必要に応じて光拡散性微粒子１４が含有される。この場合、各層中の光拡散性微粒子１４は、単一の種類の微粒子から構成してもよく、２種以上の微粒子から構成してもよい。
　　　【００２８】
　また、特開平５−６１１２０号公報に開示されているように、出射側レンズ層１２と入射側レンズ層１１とが上述の次式（Ｉ）及び（ＩＩ）
　　　【００２９】
　【数５】
　ｔ１＞ｔ２＞０　（Ｉ）
　　　【００３０】　　　
　【数６】
（式中、ｔ１は入射側レンズ層の厚さ、ｔ２は出射側レンズ層の厚さ、Δｎ１は入射側レンズ層における熱可塑性樹脂と光拡散性微粒子との屈折率の差、Δｎ２は出射側レンズ層における熱可塑性樹脂と光拡散性微粒子との屈折率の差、ｃ１は入射側レンズ層における光拡散性微粒子の重量濃度、ｃ２は出射側レンズ層における光拡散性微粒子の重量濃度、ρ１は入射側レンズ層における光拡散性微粒子の比重、ρ２は出射側レンズ層における光拡散性微粒子の比重、ｄ１は入射側レンズ層における光拡散性微粒子の平均粒径、ｄ２は出射側レンズ層における光拡散性微粒子の平均粒径を表す。）
の関係を満足するようにし、出射側レンズ層１２の光拡散性を入射側レンズ層１１よりも強化することが好ましい。このためには、例えば、出射側レンズ層１２には入射側レンズ層１１よりも高濃度の光拡散性微粒子１４を含有させることが好ましい。
　　　【００３１】
　出射側レンズ層１２上には、入射側レンズによる非集光部に光吸収層１３が形成されている。図１においては、光吸収層１３を出射側レンズ層１２の凸部に形成した例を示したが、レンズのピッチに応じて、図２に示したように光吸収層１３を出射側レンズ層１２の凹部に形成してもよい。即ち、図１に示したように光吸収層１３を出射側レンズ層１２の凸部に形成する場合には、光の利用効率を低下させないために、出射光が凸部側壁で遮断されないように凸部の高さを形成することが必要となる。レンズのピッチが比較的大きい場合にはそのように製造することは容易であるので好ましい。一方、レンズのピッチが微細な場合には、凸部の高さと出射側レンズの高さとの差をピッチに比例して小さくしなければならないので製法上困難となる。これに対して、図２に示したように光吸収層１３を出射側レンズ層１２の凹部に形成する場合には、一般に光吸収層を凸部に形成する場合に比べて製法が複雑となるが、レンズのピッチを微細化した場合でも出射光が遮断されることがないので光の利用効率が高まる。したがって、レンズのピッチが微細な場合には、光吸収層１３を出射側レンズ層１２の凹部に形成することが好ましい。
　　　【００３２】
　これら図１及び図２に示した態様のレンチキュラーレンズシートは、出射側レンズ層１２の各シリンドリカルレンズの厚さｔ２が、レンチキュラーレンズシートの中心部よりも周辺部で厚いという厚み分布を有し、それにより周辺部での光拡散性を大きくしていることを特徴としている。
　　　【００３３】
　図６は、複層のレンチキュラーレンズシートについて、出射側レンズ層１２に付与する好ましい厚み分布を、そのレンチキュラーレンズシートの幅方向の位置（幅１０００ｍｍのレンチキュラーレンズシートの中心からの距離（ｍｍ））と厚さ（レンチキュラーレンズシートの中心部の出射側レンズ層１２の厚さを１と規格化した場合のそれぞれの位置における出射側レンズ層１２の厚さ）との関係について表した図であり、図中斜線部が好ましい範囲である。
　　　【００３４】
　複層のレンチキュラーレンズシートの出射側レンズ層１２に厚み分布をもたせる場合に、その出射側レンズ層１２を厚くする位置的範囲は中央部でのスクリーンゲイン等に応じて適宜定めることができるが、一般には、図中斜線部で示したように、レンチキュラーレンズシートの中心から幅方向に２５０ｍｍより外側にすることができる。また、そのような外側に位置する出射側レンズ層の厚さｔ２は、中心部の出射側レンズ層の厚さｔ２に対して１．０５倍以上とすることが好ましく、そのときの厚みの変化割合は５μｍ／１０ｍｍを超えないようにすることが好ましい。これにより解像度や輝度を低下させることなくモアレを低減させることが可能となる。なお、モアレを低減させるためには出射側レンズ層１２のレンズｔ２は厚い程好ましいが、過度に厚くすると出射側レンズ層１２内の光拡散性微粒子１４で拡散されて光吸収層１３に入射する光の量が多くなるのでスクリーンの輝度が低下するので好ましくない。また、出射側レンズ層１２の厚みの変化割合を過度に大きくすると、明るさのむらが感じられるようになるので好ましくない。
　　　【００３５】
　より具体的には、例えば、レンチキュラーレンズシートを幅１０００ｍｍで中心部の出射側レンズ層の厚さを１７０μｍとする場合、レンチキュラーレンズシートの中心から約３００ｍｍ外側に位置する出射側レンズ層の厚さを１７０〜２００μｍとし、中心から約４５０ｍｍ外側の位置では１８０〜２３０μｍとすることが好ましい。
　　　【００３６】
　以上のように出射側レンズ層１２に厚み分布をもたせたレンチキュラーレンズシートの製造方法としては特に制限はないが、入射側レンズ層１１を形成する樹脂と出射側レンズ層１２を形成する樹脂とを共押し出しし、所定の凹凸を有するロール間を通して成形する共押し出し成型法によることができる。
　　　【００３７】
　共押し出し成型法を行うための装置としては、図８に示したように各層を形成する樹脂１１ａ、１２ａをダイ幅に広がる前に合流させて押し出すフィードブロックダイと、図９に示したように各層を形成する樹脂１１ａ、１２ａをそれぞれダイ幅に広げた後に合流させて押し出すマルチマニフォールドダイ等が知られているが、特にマルチマニフォールドダイを使用することが好ましい。マルチマニフォールドダイを使用する場合、出射側レンズ層１２に好適な厚み分布をもたせる方法としては、例えば、出射側レンズ層になる樹脂の流量を規定するチョークバー６をボルト７により、中心部から周辺部にかけて徐々に樹脂に流量が多くなるように制御すればよい。
　　　【００３８】
　以上、この発明の背面投写型スクリーンに使用する光拡散板について詳述したが、この発明の背面投写型スクリーンに使用するフレネルレンズとしては、特に制限はなく、従来より背面投写型スクリーンに使用されているフレネルレンズを使用することができる。
　　　【００３９】
　　【作用】
　この発明の背面投写型スクリーンは光拡散板の光拡散性を周辺部で大きくしているので、中央部の明るさを変えることなく周辺部で光拡散性を強め、それによりフレネルレンズにより発生する暗線をぼかし、モアレを弱めることが可能となる。
　　　【００４０】
　また、周辺部での光の拡散量が多くなると、図１０に示したように、周辺部から射出する光のうち、背面投写型スクリーンの中央正面に位置する観察者に向かう光Ｌ１の割合がスクリーン面に垂直な方向へ射出する光Ｌ２に対して強くなるので、スクリーンの中央正面に位置する観察者はスクリーンの周辺部でも明るい画面を観察できることとなる。
　　　【００４１】
　　【実施例】
　以下、この発明を実施例に基づいて具体的に説明する。
　　　【００４２】
実施例１
　図１に示した構造のレンチキュラーレンズシートを、マルチマニフォールドダイを使用して共押し出し法により製造した。この場合、入射側レンズ層１１を形成する樹脂としては、ポリメチルメタクリレートを使用し、出射側レンズ層１２を形成する樹脂としてもポリメチルメタクリレートを使用し、この樹脂中には光拡散性微粒子として粒径２０μｍ、ポリメチルメタクリレートとの屈折率の差が０．０６６の無機系粒子を１５重量％含有させた。また、マルチマニフォールドダイの出射側レンズ層の押し出し条件を、幅方向に中心部より周辺部で押し出し量が多くなるように調節した。
　　　【００４３】
　これにより、レンチキュラーレンズシートのピッチ（ｐ）が０．９ｍｍ、全体の厚さ（ｔ）が１．０７ｍｍ、入射側レンズ層１１の中心部の厚さ（ｔ１）が０．９ｍｍ、出射側レンズ層１２の厚さ（ｔ２）の分布が図６の実線で示したように中心部で１７０μｍ、中心から３００ｍｍの位置で厚さ２００μｍ、中心から４５０ｍｍより外側で厚さ２１５μｍのものが得られた。なお、この入射側レンズのレンズ形状は、次式（ＩＩＩ）
　　　【００４４】
　【数７】
（式中、Ｃは主曲率であり、Ｋは円錐定数である）
において、主曲率Ｃ＝２．７、円錐定数Ｋ＝−０．４５であり、出射側レンズのレンズ形状は、式（ＩＩＩ）において主曲率Ｃ＝−３．８、円錐定数Ｋ＝−３．０であった。
　　　【００４５】
　こうして成型したレンズに対し、光吸収層１３を常法により印刷し、この発明の背面投写型スクリーンに使用するレンチキュラーレンズシートを得た。
　　　【００４６】
　一方、フレネルレンズとして焦点距離ｆ＝９００ｍｍのレンズを用意した。
　　　【００４７】
　そして、上述のレンチキュラーレンズシートとフレネルレンズとを組み合わせて背面投写型スクリーン（幅１１００ｍｍ、高さ８６０ｍｍ）を形成した。
　　　【００４８】
　このスクリーンの背後９００ｍｍの位置にＣＲＴ及び投写レンズを設置し、スクリーンに白画像を投写し、その画像を観察した。その結果、スクリーンの中心から３ｍの距離でスクリーンを観察した場合にはモアレは観察されず、また同様に１．５ｍの距離でスクリーンを観察した場合にはスクリーンの中心から４００ｍｍ外側で僅かにモアレが観察された。
　　　【００４９】
　また、図７に示したように、スクリーンの中心Ｐから１．５ｍの距離でスクリーンの中心Ｐから対角に９０％の位置Ｑの輝度と、スクリーンの中心Ｐの輝度を測定し、両者の比をとると、対角９０％の位置Ｑの輝度は中心Ｐの輝度の７％であった。
　　　【００５０】
比較例１
　マルチマニフォールドダイの出射側レンズ層の押し出し条件を、幅方向に中心部よりも周辺部で押し出し量が少なくなるように調節する以外は実施例１と同様にしてレンチキュラーレンズシートを製造し、これによりレンチキュラーレンズシートのピッチ（ｐ）が０　．９ｍｍ、全体の厚さ（ｔ）が１．０７ｍｍ、入射側レンズ層１１の中心部の厚さ（ｔ１）が０．８ｍｍ、出射側レンズ層１２の厚さ（ｔ２）の分布が図６の一点鎖線で示したように、中心部で１７０μｍ、中心から３００ｍｍの位置で厚さ１６０μｍ、中心から４５０ｍｍより外側で厚さ１５０μｍのものを得た。
　　　【００５１】
　得られたレンチキュラーレンズシートを、実施例１と同様にして、フレネルレンズと組み合わせてスクリーンに使用し、そのスクリーンに投写された画像を観察したところ、スクリーンの中心から３ｍの距離でスクリーンを観察した場合にスクリーンの中心から３８５ｍｍ外側でモアレが観察され、また同様に１．５ｍの距離でスクリーンを観察した場合にスクリーンの中心から２５０ｍｍ外側で強いモアレが観察された。
　　　【００５２】
比較例２
　マルチマニフォールドダイの出射側レンズ層の押し出し条件を、全幅方向にわたって同じ押し出し量となるように調節する以外は実施例１と同様にしてレンチキュラーレンズシートを製造し、これによりレンチキュラーレンズシートのピッチ（ｐ）が０．９ｍｍ、全体の厚さ（ｔ）が１．０７ｍｍ、入射側レンズ層１１の中心部の厚さ（ｔ１）が０．８ｍｍ、出射側レンズ層１２の厚さ（ｔ２）が図６の破線で示したようにレンチキュラーレンズシートの全幅に渡って１７０μｍのものを得た。
　　　【００５３】
　得られたレンチキュラーレンズシートを、実施例１と同様にして、フレネルレンズと組み合わせてスクリーンに使用し、そのスクリーンに白画像を投写し、その画像を観察したところ、スクリーンの中心から３ｍの距離でスクリーンを観察した場合にスクリーンの中心から４００ｍｍ外側でモアレが観察され、また同様に１．５ｍの距離でスクリーンを観察した場合にスクリーンの中心から３５０ｍｍ外側で強いモアレが観察された。また、スクリーンの中心から１．５ｍの距離でスクリーンの中心から対角に９０％の位置Ｑの輝度は、スクリーンの中心Ｐの輝度の５％であった。
　　　【００５４】
実施例２
　入射側及び出射側の表面が平坦になるように成形する以外は実施例１と同様にして入射側層と出射側拡散層とからなる光拡散板を作製した。得られた光拡散板の厚さは２ｍｍ、その出射側拡散層の厚さは、スクリーン中心部で０．５ｍｍ、中心から４５０ｍｍ外側で０．８ｍｍであった。
　　　【００５５】
　この光拡散板を実施例１と同様にフレネルレンズと組み合わせてスクリーンとして使用し、そのスクリーンに白画像を投写し、画面の明るさを観察した。
　　　【００５６】
　その結果、スクリーンの中心から１．５ｍの距離でスクリーンの中心から対角に９０％の位置Ｑの輝度は、スクリーンの中心Ｐの輝度の８％であった。
　　　【００５７】
比較例３
　マルチマニフォールドダイの出射側拡散層の押し出し条件を、全幅方向にわたって同じ押し出し量となるように調節する以外は実施例２と同様にして光拡散板を作製した。得られた光拡散板の出射側拡散層の厚さは、全幅にわたって０．５ｍｍであった。
　　　【００５８】
　この光拡散板を実施例１と同様にフレネルレンズと組み合わせて投写スクリーンとして使用し、そのスクリーンに白画像を投写し、画面の明るさを観察した。
　　　【００５９】
　その結果、スクリーンの中心から１．５ｍの距離でスクリーンの中心から対角に９０％の位置Ｑの輝度は、スクリーンの中心Ｐの輝度の６％であった。
　　　【００６０】
　　【発明の効果】
　この発明によれば、フレネルレンズと、光拡散性微粒子を含有する光拡散板とからなる背面投写型スクリーンにおいて、モアレを抑制し、かつ投写系が短い場合でも周辺部の輝度の低下を抑制することが可能となる。
【図面の簡単な説明】
　　【図１】
　この発明の背面投写型スクリーンに好適なレンチキュラーレンズシートの幅方向（水平方向）の断面図である。
　　【図２】
　この発明の背面投写型スクリーンに好適なレンチキュラーレンズシートの異なる態様の幅方向（水平方向）の断面図である。
　　【図３】
　一般的なレンチキュラーレンズシートの幅方向（水平方向）の断面図である。
　　【図４】
　一般的なレンチキュラーレンズシートの幅方向（水平方向）の断面図である。
　　【図５】
　背面投写型スクリーンを使用した投写装置の一般的な概略構成図である。
　　【図６】
　レンチキュラーレンズシートの出射側レンズの厚さ分布の説明図である。
　　【図７】
　スクリーンの輝度の測定箇所の説明図である。
　　【図８】
　フィードブロックダイを使用してレンチキュラーレンズシートを共押し出し成形する場合の説明図である。
　　【図９】
　マルチマニフォールドダイを使用してレンチキュラーレンズシートを共押し出し成形する場合の説明図である。
　　【図１０】
　この発明の背面投写型スクリーンについて、画角とスクリーンから射出する光の強度との関係を示した図である。
　　【図１１】
　従来の背面投写型スクリーンについて、画角とスクリーンから射出する光の強度との関係を示した図である。
　　【符号の説明】
１　ＣＲＴ
２　投写レンズ
３　フレネルレンズ
４　レンチキュラーレンズシート
５　スクリーン
１０　レンチキュラーレンズシート
１１　入射側レンズ層
１２　出射側レンズ層
１３　光吸収層